Podtech/llm-jp-corpus-v4-ja_patent huggingface dataset:
(57)【要約】      （修正有）【課題】従来の三つ折箸袋は、裏方向に折り返した裾を裏紙に固定する手段を講じていないため、時間の経過とともに裾が裏紙から離隔しやすくなり、裾と裏紙との間が開いてしまうことが多い。そのような場合には、箸袋をテーブルに置いたときには箸袋の折側がテーブルから浮き上がり、また、箸袋を手に持ったときには裾が下に垂れてしまう。本考案は、三つ折箸袋において、裏方向に折り返した裾が、時間の経過とともに裏紙から離隔して開いてしまうことを、あらかじめ防止する手段を提供する。【解決手段】折返した裾１１の端辺が裏紙に接する該裏紙の部分に半楕円形の切込み、すなわち爪８を、弧が下向になるように形成し、該爪８に前記裾１１の端辺を三層合わさったまま挟みこむことにより、前記裾１１を簡単に前記裏紙に密着固定させるものである。【選択図】図５
0003182397.tif 000002
【実用新案登録請求の範囲】
【請求項１】
縦長な矩形の紙片の短辺側紙幅を中央片と右側片と左側片とに三等分し、裏紙となる該中央編の上に重なるように該右側片と該左側片とを内側に折り返すことにより作成される長尺な三層重合片を、該重合片の下部の端辺から長手方向に一定の長さを裏方向に折り返してなる三つ折箸袋において、折返し部分である重合片（裾）の前記端辺が前記裏紙と接する前記裏紙の部分に半楕円形の切込み（爪）を弧が下向になるように形成し、前記爪に前記裾の端辺を挟みこむことにより、前記裾を前記裏紙に密着固定させることを特徴とする前記三つ折箸袋。
【考案の詳細な説明】
【技術分野】
【０００１】
本考案は、裏方向に二つ折りにした裾部分が裏紙から離隔して浮き上がることがないようにした三つ折箸袋に関する。
【背景技術】
【０００２】
三つ折箸袋の作成手順としては、まず、縦長な矩形の紙片の短辺側紙幅を三等分し、右側片と中央片と左側片とを作成し、つぎに、該右側片と該左側片を、裏紙となる該中央編の上に重なるようにして内側に折り返すことにより、中に箸を入れることができる長尺な三層重合片を作成し、最後に該重合片の下端辺から一定の長さを裏方向に折り返すことにより、内部閉鎖状の袋体となる。
【０００３】
前記長尺な三層重合片の下端辺から一定の長さを裏方向に折り返して形成される折返し部分の重合片、すなわち裾については、通常、裏紙への固定手段はなされていないため、折られた直後は裏紙に密着しているが、時間が経つにつれ、裏紙から離隔する傾向がある。
【先行技術文献】
【特許文献】
【０００４】
【特許文献１】実開平７−２１５８８号公報
【考案の概要】
【考案が解決しようとする課題】
【０００５】
上記実開平７−２１５８８号公報に記載の考案は、解決しようとする課題が本出願の考案とは異なるが、該公報には従来の三つ折箸袋の特徴が記載されている。前記公報に記載の三つ折箸袋は、前述のように、折り返した裾を裏紙に固定する手段を講じていないため、時間の経過とともに裾が裏紙から離隔しやすくなり、裾と裏紙との間が開いてしまうことが多い。そのような場合には、箸袋をテーブルに置いたときには箸袋の折側がテーブルから浮き上がり、また、箸袋を手に持ったときには裾が下に垂れてしまう。
【０００６】
本考案は、三つ折箸袋において、裏方向に折り返した裾が、時間の経過とともに裏紙から離隔して開いてしまうことを、あらかじめ防止する手段を提供するものである。
【課題を解決するための手段】
【０００７】
上述の課題を解決するためには、糊や粘着テープを使用して裾を裏紙に固定するといった方法も考えられるが、（１）三層重合の一層のみを糊や粘着テープを使用して裏面に固定すると残りの二層の紙がめくれあがったり折れたりする、（２）糊やテープなどの追加的材料が必要となる、（３）糊や粘着テープを使用して裾を裏面に固定すると、三つ折箸袋を広げて敷紙等として再利用する場合に、剥がそうとする部分が破れたりすることがある、などの問題点がある。
【０００８】
そこで、本考案においては、折返した裾の端辺が裏紙に接する該裏紙の部分に半楕円形の切込み、すなわち爪を、弧が下向になるように形成し、該爪に前記裾の端辺を三層合わさったまま挟みこむことにより、前記裾を簡単に前記裏紙に密着固定させるものである。
【考案の効果】
【０００９】
本考案の実施により、三つ折箸袋の作成において、糊や粘着テープ等の追加の材料を使用することなく、簡単な工程を組み込むだけで、三層重合構造の裾の全部を確実に裏紙に密着固定させることができる。
【００１０】
また、裾は、糊や粘着テープを使用せず、爪に挟み込ませて留めてあるだけなので、箸袋としての使用が終了した後にも、簡単に広げて1枚の紙に戻すことができ、敷紙等に再使用することも可能となる。
【図面の簡単な説明】
【００１１】
【図１】三つ折箸袋を展開したときの平面図である。
【図２】右側片を中央片の上に折り返したときの平面図である。
【図３】左側片を中央片と右側片の上に折り返したときの平面図である。
【図４】裾を裏方向に折り返したときの斜視図である。
【図５】裾の端辺を爪に挟み込んだときの斜視図である。
【考案を実施するための形態】
【００１２】
以下、本考案の実施の形態を図面を参照して説明する。
【００１３】
図１は、三つ折箸袋を展開したときの平面図である。縦長な矩形の紙片１には、短辺側紙幅を３等分する形で、長手方向に折り目２及び３が形成され、該２本の折り目により、紙片１は中央片５、右側片６及び左側片７に分けられる。また、端辺１０から長さaの位置に、端辺１０と平行に折り目４が形成されている。折り目４は図４に示すように、折り目２及び３を折返して形成される三層重合片の下部を裏方向に折って三つ折箸袋の裾１１を形成するためのものである。
【００１４】
中央片５には、折り目４から長手上方向、長さa +１−２mmの位置に、半楕円形の切込、すなわち爪８が、弧が下向になるように形成されている（図１）。
【００１５】
つぎに、中央片５が裏紙となるように、右側片６を中央片５に重なるように折り目２を折返し、さらに左側片７が表紙となるように、左側片７を中央片５及び右側片６に重なるように折り目３を折返す（図２）。これにより、中央片５と右側片６と左側片７とからなる三層重合片が形成される（図３）。該三層重合片は、端辺９と端辺１０が解放されている。
【００１６】
最後に、前記三層重合片の下部すなわち裾１１を折り目４より裏方向に折り返し（図４）、さらに裾１１の端辺１０を爪８に挟み込む（図５）。これにより、内部閉鎖状の袋体が形成されるとともに、裾１１は裏紙に密着固定される。
【符号の説明】
【００１７】
１    紙片
２    折り目
３    折り目
４    折り目
５    中央片
６    右側片
７    左側片
８    爪
９    端辺
１０  端辺
１１  裾
【図１】
0003182397.tif 000003
【図２】
0003182397.tif 000004
【図３】
0003182397.tif 000005
【図４】
0003182397.tif 000006
【図５】
0003182397.tif 000007
(57)【要約】      （修正有）【課題】着用時、腹部との間に空気層が保て圧迫感が無く、食後の窮屈感も無い腹巻を提供する。【解決手段】腹巻本体１は柔らかな空気層を保つために腹部６の周囲よりやや大きくする。さらに、腹巻本体１が腹部６からずり落ちないで安定位置で着用できるように腹巻吊り具３を設け、腹巻本体１の上部２と腹巻吊り具３の下部４をつなぎ合せて一体化する。また、外出などでスタイルが気になる場合は腹巻本体１の腹面と腰面の厚さ、素材を替えて腹囲のボリュウムを抑えることでスマートな腹巻吊り具付き腹巻を着用することが出来る。【選択図】図２
0003182374.tif 000002
【実用新案登録請求の範囲】
【請求項１】
腹巻本体（１）は腹部（６）の周囲よりやや大きく、腹巻本体（１）の上部（２）と腹巻吊り具（３）の下部（4）をつなぎ合せて一体にした事を特徴とした腹巻吊り具付き腹巻。
【請求項２】
腹巻本体（１）の腹面（８）と腰面（９）の厚さ又は素材を替え、腹巻本体（１）の上部（２）と腹巻吊り具（３）の下部（４）をつなぎ合わせて一体にした事を特徴とした腹巻吊り具付き腹巻。
【考案の詳細な説明】
【技術分野】
【０００１】
この考案は、腹巻を肩から前後に振り分けた腹巻吊り具とつなぎ合せて一体にした腹巻吊り具つき腹巻と、腹巻本体の腹面と腰面の厚さ、素材を替えた腹巻本体を肩から前後に振り分けた腹巻吊り具とつなぎ合わせて一体にした腹巻吊り具付き腹巻に関するものである。
【背景技術】
【０００２】
従来腹巻は、１、腹部へ密着させることで固定させていた。２、腹巻は腹面と腰面が同じ厚さであった。３、腹巻兼用肌着はあった。
【先行技術文献】
【特許文献】
【０００３】
【特許文献１】特開２００６−２７４４９８号公報
【考案の概要】
【考案が解決しようとする課題】
【０００４】
１、腹部に密着使用していた腹巻は圧迫感があり特に食後は窮屈で調子が悪い。大きいサイズを使用するとずり落ちお腹あたりがボテボテする。
２、腹巻きの目的に依っては腹面を重点的に温め腰面の厚みを抑えたい。
３、腹巻は通常、肌着の上に使用して毎日洗わない。これらの不便、欠点を除くためになされたものである。
【課題を解決するための手段】
【０００５】
腹巻着用において腹部に出来るだけ多くの空気層を保ち、圧迫が無く食後も窮屈から開放される方法を繰り返し実験してみた。腹巻を緩く巻き尚且つずり落ちないようにする。時としては腹巻本体の腹部と腰部の厚さ、素材を替えると良い事が解った。
腹巻本体（１）は腹部（６）の周囲よりやや大きい、腹巻本体（１）の上部（２）と腹巻吊り具（３）の下部（４）をつなぎ合せて一体にした腹巻吊り具付き腹巻である。
また腹巻本体（１）の腹面（８）と腰面（９）の厚さ、素材を替えて腹巻本体（１）は腹部（６）の周囲よりやや大きく、腹巻本体（１）の上部（２）と腹巻吊り具（３）の下部（４）をつなぎ合せて一体にした腹巻吊り具付き腹巻である。
【考案の効果】
【０００６】
本考案の、腹巻吊り具付き腹巻は通常、腹部の上に肌着を着てその上にゆとりのある腹巻吊り具付き腹巻を着用するので空気層が出来て体の芯から温かく圧迫感が無い。また食後の窮屈感がからも解放された。特に開腹手術後の食事をのびのび摂ることが出来るようになった。腹巻本体の腹面と腰面の厚さ、材質を替えた腹巻吊り具付き腹巻は着衣を着たときウエスト周りがスッキリする。
【図面の簡単な説明】
【０００７】
【図１】図１は腹巻本体と腹巻吊り具の平面図である。
【図２】図２は腹巻吊り具付き腹巻の平面図と実施正面断面図である。
【図３】図３は腹巻本体の腹面と腰面の厚さが違う斜視図と実施側面断面図である。
【図４】図4は腹巻吊り具を紐（ストラップ）にしたときの平面図である。
【考案を実施するための形態】
【０００８】
以下、本考案実施の形態について説明する。図1のように腹巻本体（１）は柔らかな空気層を保つために腹部（６）の周囲よりやや大きい。
図２のように腹巻本体（１）が腹部（６）からずり落ちないで安定位置で着用できるように腹巻吊り具（3）を設けた。腹巻本体（１）の上部（2）と腹巻吊り具（3）の下部（４）をつなぎ合せて一体化した腹巻吊り具付き腹巻である。図３のように外出などでスタイルが気になる場合は腹巻本体（1）の腹面（８）と腰面（９）の厚さ、素材を替えて腹囲のボリュウムを抑えることでスマートな腹巻吊り具付き腹巻を着用することが出来る。
腹巻本体（1）の材質は保温性、保湿性に優れた柔らかな天然素材、アクリル繊維、ポリエステル、パイル、発熱素材等がのぞましい。腹巻吊り具（３）の材質は丈夫で柔らかな布、ストラップ等がよい。
【実施例１】
【０００９】
腹巻が心地良く充分役目を果たして欲しかったのでいろいろ試してみた結果、腹巻本体（１）を腹部よりやや大きくして空気層を保ち、腹巻本体（１）のずり落ち防止に腹巻吊り具（３）を取り付け一体化して肌着（７）の上に着用できるようにした。
【実施例２】
【００１０】
腹巻本体（１）がボテボテするときは腹面（８）と腰面（９）の厚さ、素材を替えてスッキリタイプの腹巻本体（１）を腹巻吊り具（３）に取り付け一体かした腹巻吊り具付き腹巻でお洒落も愉しめる。
【産業上の利用可能性】
【００１１】
体幹を温める事は健康上良いとされています。特に開腹手術後の療養期間は腹巻を医師から勧められています。腹部にピッタリの腹巻は食事の度に窮屈で困っていた。そんな時研究したこの腹巻は産業上利用価値があると思います。
【符号の説明】
【００１２】
１  腹巻本体
２  腹巻本体の上部      
３  腹巻吊り具          
４  腹巻吊り具の下部
５  腹巻吊り具付き腹巻
６  腹部                      
７  肌着  
８  腹面
９  腰面
【図１】
0003182374.tif 000003
【図２】
0003182374.tif 000004
【図３】
0003182374.tif 000005
【図４】
0003182374.tif 000006
(57)【要約】      （修正有）【課題】小型で加温と保温が可能な毛髪染料液の容器を提供する。【解決手段】開口部を有する略半球形状または円錐台形状の槽と、前記開口部の周縁に設けられてなる鍔と、前記槽の底部に設けられてなる加熱手段とを備えた液貯槽部１と、前記加熱手段に電力を供給する手段と温度調節を行うための回路を内蔵し、前記液貯槽部１が嵌合し得る凹部を備えた台座２で、毛髪染料液加熱保温装置を構成する。液貯槽部１と台座２が分離可能で、作業の際は、液貯槽部１のみを持ち上げることが可能なので、負担が軽減される。【選択図】図１
0003182311.tif 000002
【実用新案登録請求の範囲】
【請求項１】
開口部を有する略半球形状または円錐台形状の槽と、前記開口部の周縁に設けられてなる鍔と、前記槽の底部に設けられてなる加熱手段とを備えた液貯槽部と、前記加熱手段に電力を供給する手段と温度調節を行うための回路を内蔵し、前記液貯槽部が嵌合し得る凹部を備えた台座を有することを特徴とする、毛髪染料液加熱保温装置。
【考案の詳細な説明】
【技術分野】
【０００１】  本考案は、毛髪染料液を加熱保温する装置に関し、特に、容器の底部に加熱手段を備えるとともに、軽量化を図ったものに関する。
【背景技術】
【０００２】  染毛料や染毛剤には、中年以降の白髪対策と、おしゃれのために様々な色に染める、いわゆるヘアカラー用がある。その成分は、メーカーによって異なり、染毛料は化粧品に、染毛剤は医薬部外品に分別されている。【０００３】  使用方法としては、染毛料や染毛剤を含む液体を、毛髪に塗布するのが一般的であり、その際の温度が高い方が、効果が大きいことが多い。しかし、過度に高温であると、利用者に障害を起こす虞がある。【０００４】  このためには、例えば入浴の湯温のような、適当な温度に毛髪染料液を保温する必要がある。これに対応するものとして、特許文献１には、ジャケット構造の容器の空間に蓄熱材を充填し得る、加熱保温器が開示されている。しかし、ここに開示されている加熱保温器は、温度調節を行うための機構を備えていないため、所要の温度に毛髪染料液を保持するのが困難であり、改善の余地がある。
【先行技術文献】
【特許文献】
【０００５】
【特許文献１】  実用新案登録第３１２５７９３号
【考案の概要】
【考案が解決しようとする課題】
【０００６】  本考案の課題は、係る問題に対処するため、小型で加温と保温が可能な毛髪染料液の容器を提供することにある。
【課題を解決するための手段】
【０００７】  本考案は前記の課題に鑑み、毛髪染料液の塗布を行う際の取扱い性を考慮して、できるだけ毛髪染料液を貯留する槽を軽量化することを検討した結果、なされたものである。【０００８】  即ち、本考案は、開口部を有する略半球形状または円錐台形状の槽と、前記開口部の周縁に設けられてなる鍔と、前記槽の底部に設けられてなる加熱手段とを備えた液貯槽部と、前記加熱手段に電力を供給する手段と温度調節を行うための回路を内蔵し、前記液貯槽部が嵌合し得る凹部を備えた台座を有することを特徴とする、毛髪染料液加熱保温装置である。
【考案の効果】
【０００９】  本考案の毛髪染料液加熱保温装置は、前記のように、毛髪染料液を貯留する液貯槽部と、加熱や保温を行うための電源などを内蔵する台座が分離可能であり、頭髪に毛髪染料液を塗布する際には、液貯槽部の鍔を持って、持ち上げることができるので、作業の負担が軽減される。
【図面の簡単な説明】
【００１０】
【図１】  本考案の毛髪染料液加熱保温装置の一例を示す斜視図。
【図２】  本考案の毛髪染料液加熱保温装置の液貯槽部の一例を示す図、図２（ａ）は側面図、図２（ｂ）は平面図。
【図３】  本考案の毛髪染料液加熱保温装置の台座の一例を示す図、図３（ａ）は側面図、図３（ｂ）は平面図。
【考案を実施するための形態】
【００１１】  次に本考案の実施の形態について、具体的な図に基づいて説明する。
【００１２】  図１は、本考案の毛髪染料液加熱保温装置の一例を示す斜視図である。図１において、１は液貯槽部、２は台座、３は電源スイッチ、４ａ及び４ｂは台座の脚、５は電源コードである。
【００１３】  図２は、本考案の毛髪染料液加熱保温装置の液貯槽部の一例を示す図で、図２（ａ）は側面図、図２（ｂ）は平面図である。図２において、６は毛髪染料液を貯留するための槽、７は鍔、８は把持部、９は加熱手段、１０ａ及び１０ｂは、加熱手段への電気の供給手段である。
【００１４】  図２に示した例においては、槽６は略半球形状で、開口部の周縁に鍔７が設けられ、片端には、鍔７を延長させた把持部８が設けられている。実際の使用に際して、槽６を持ち上げるときは、把持部８を持つことができる。また、加熱手段９は、通常の電熱装置や、誘導加熱装置を用いることができる。槽６はプラスチックで構成してもよいが、一定以上の耐熱性が必要で、特に誘導加熱を用いる場合は金属製であることが望ましく、清潔維持のため、フッ素樹脂コーティングを施してもよい。
【００１５】  図３は、本考案の毛髪染料液加熱保温装置の台座の一例を示す図で、図３（ａ）は側面図、図３（ｂ）は平面図である。図３において、１１は液貯槽部アダプター部、１２ａ及び１２ｂは加熱手段の電源接続部である。
【００１６】  図３に示した台座２の液貯槽部アダプター部１１に、液貯槽部１を嵌合させると、加熱手段９を作動させることが可能となり、頭髪への塗布の際に、温度を４１〜４２℃に自動的に調整可能となっている。
【００１７】  以上に説明したように、本考案によれば、小型で取扱い性に優れた毛髪染料液加熱保温装置を提供することができる。なお、本考案は、前記実施の形態に限定されるものではなく、本考案の分野における通常の知識を有する者であれば想到し得る、各種変形、修正を含む、本考案の要旨を逸脱しない範囲の設計変更があっても、本考案に含まれることは勿論である。
【符号の説明】
【００１８】１  ・・・液貯槽部    ２  ・・・  台座    ３  ・・・電源スイッチ
４ａ，４ｂ  ・・・台座の脚    ５  ・・・電源コード    ６  ・・・槽
７  ・・・鍔    ８  ・・・把持部    ９  ・・・加熱手段
１０ａ，１０ｂ  ・・・電気の供給手段    １１  ・・・液貯槽部アダプター部
１２ａ，１２ｂ  ・・・電源接続部
【図１】
0003182311.tif 000003
【図２】
0003182311.tif 000004
【図３】
0003182311.tif 000005
(57)【要約】      （修正有）【課題】頭部への取り付けが簡単で、作業や仕事中でも外れにくく、頭の保護もできる頭部巻き付けタオルを提供する。【解決手段】左右方向に横長な長方形状で、タオル本体２と、その両端の巻付け部３からなり、タオル本体２は、巻き付け部３より分厚い布地で構成し、巻付け部３は、タオル本体２より薄い布地で構成することにより頭部に巻き付け易くした事を特徴とする。【選択図】図１
0003182313.tif 000002
【実用新案登録請求の範囲】
【請求項１】
左右方向に横長な長方形状で、タオル本体２と、その両端の巻付け部３からなり、タオル本体２は、巻き付け部３より分厚い布地で構成し、巻付け部３は、タオル本体２より薄い布地で構成することにより頭部に巻き付け易くした事を特徴とする頭部巻き付けタオル。
【考案の詳細な説明】
【技術分野】
【０００１】
本考察は、頭に巻く専用のタオルに関する。
【背景技術】
【０００２】
従来のタオルは、吸水性や肌触りに特化するため、その多くでは表面にループ状の細かい糸が飛び出している布地でできている。頭に巻きつけたときに、布地が薄いため、頭を充分に保護できない場合や、透き通り見栄えがしない場合がある。
【考案の概要】
【考案が解決しようとする課題】
【０００３】
タオルの布地を、バスタオルのように分厚くすると、タオルを両端で縛ることが難しく、頭に巻きにくくなり、巻き付け部分が大きく膨らみ、結び目の形が悪くなる。またタオルの布地を薄くすると、タオルの頭に巻きつけた箇所が、結び目に引っ張られ、布地の見た目が悪くなる。
【課題を解決するための手段】
【０００４】
左右方向に横長な長方形状で、タオル本体２と、その両端の巻付け部３からなり、タオル本体２は、巻き付け部３より分厚い布地で構成し、巻付け部３は、タオル本体２より薄い布地で構成することにより頭部に巻き付け易くした事を特徴とする頭部巻き付けタオルである。
【考案の効果】
【０００５】
本考案は次のような効果がある。
１）タオルを頭に巻く際に、簡単に取り付けることができる。
２）タオル装着した状態で作業や仕事をしても簡単には、外れなくできる。
３）タオルを巻きつけた前頭部は分厚いので、頭を保護できる。
【図面の簡単な説明】
【０００６】
【図１】本考案の頭部巻き付けタオルの構成図
【図２】本考案の頭部巻き付けタオルの使用図
【考案を実施するための形態】
【０００７】
以下、図面に記載の考案の実施の形態に基づいて、この考案をより具体的に説明する。図１は本考案の頭部巻き付けタオルの構成図、図２は本考案の頭部巻き付けタオルの使用図である。
【０００８】
頭部巻き付けタオル１は、左右方向に横長な長方形状で、タオル本体２と、その両端の巻付け部３からなる。タオル本体２は、巻き付け部３より分厚い布地で構成する。巻付け部３は、タオル本体２より薄い布地で構成する。
例えば、作り方としては、次のようなものが考えられる。
１）頭部巻き付けタオル１の大きさの長方形状の布地を用意して、タオル本体の中央部に、短い布地を１枚又は複数枚重ね合わせて構成する。
２）タオルは、吸水性や肌触りに特化するため、その多くでは表面にループ状の細かい糸が飛び出している布地でできているが、タオル本体の中央部の糸を太く大きく長く、巻付け部３の糸を細く小さく短くする。
３）タオル本体２の布地と、その両端の巻付け部３の別の布地を縫製する。
【０００９】
図２は、本考案の頭部巻き付けタオルの使用図を示す。図１の分厚いタオル本体２を頭部前頭に置いて、巻き付け部３を後頭部まで引っぱり一回又は二回結んで固定する。
【符号の説明】
【００１０】
１  頭部巻き付けタオル
２  タオル本体
３  巻き付け部
４  結び目
【図１】
0003182313.tif 000003
【図２】
0003182313.tif 000004
(57)【要約】      （修正有）【課題】ゴルフのクラブのグリップ部分の水分付着防止と汚れ防止を図るゴルフのアイアンクラブ用置台を提供する。【解決手段】基板１の長手方向の両側をやや上方に持ち上げ、下方に向かってやや外方向に広がるように側面部３を成形し、基板１の上面には長方形状の開口部２を設け、前記側面部３の下部に波状の係止部４を設ける。【選択図】図１
0003182304.tif 000002
【実用新案登録請求の範囲】
【請求項１】
基板（１）の長手方向の両側をやや上方に持ち上げ、下方に向かってやや外方向に  広がるように側面部（３）を成形し、基板（１）の上面には長方形状の開口部（２）を設け、前記側面部（３）の下部に波状の係止部（４）を設けたゴルフのアイアンクラブ用置台。
【考案の詳細な説明】
【技術分野】
【０００１】  この考案は、ゴルフのアイアンクラブ（以下、クラブと称す）用置台に関するものである。
【背景技術】
【０００２】  最近のゴルフプレーはキャディーが付かずに、競技者自らがゴルフカートを運転するセルフプレーが多くなってきた。【０００３】  そのためにドライバーで第１打を打った後、打者がキャディーバッグから複数のクラブを抜いてボールの落下地点に行き、グリーンまでの距離、落下地点の芝生の状況、地面の傾斜等様々な状況判断の上、適合するクラブを選択して第２打を打っている。【０００４】  その際、使用しないクラブは少なくとも第２打目のショット後、置き忘れしないように、打者の近くのフェアーウェイ、ラフ、セミラフクラブの芝生の上に置ている。【０００５】  ところが、朝早いスタートのときは、芝生に朝露が下り芝生が湿った状態になる。【０００６】  また雨天の場合の芝生は、ぐっしょりと濡れている。【０００７】  そのような状態の芝生にクラブを置くと、水分がグリップ部分に付着する。また、泥やゴミなどが付く。【０００８】  その結果、水分を取り除くことを忘れ、クラブを振ったとき、手からクラブが滑りやすく、ミスショットの原因になることがしばしば起きていた。
また、泥やゴミが付くので、グリップが汚れ痛みやすい欠点があった。
【考案の概要】
【考案が解決しようとする課題】
【０００９】  そこで、本考案はクラブのグリップ部分の水分付着防止と汚れ防止を図るために、考案されたものである。
【課題を解決するための手段】
【００１０】  上記の課題を解決するために、合成樹脂を主材とした基板（１）の長手方向の両側をやや上方に持ち上げ、下方に向かってやや外方向に広がるように側面部（３）を成形し、基板（１）の上面には長方形状の開口部（２）を設ける。前記側面部（３）の下部に波状の係止部（４）を設ける。本考案は以上の構成からなる、ゴルフのアイアンクラブ用置台である
【考案の効果】
【０００１１】  その結果、クラブ（６）のグリップ（７）水分が付着しないので、スムーズにクラブが触れてスコアもよくなる。またグリップの痛み、汚れ防止に役立つ。
【図面の簡単な説明】
【００１２】
【図１】本考案の斜視図
【図２】本考案の正面図
【図３】本考案の使用説明図
【図４】本考案の使用説明図
【図５】本考案の他の実施図
【図６】本考案の他の実施図
【考案を実施するための形態】
【実施例１】
【００１３】  図１は本考案の一実施例を示す斜視図であり、それに基づいて説明する。
合成樹脂を主材とした基板（１）の長手方向の両側をやや上方に持ち上げ、下方  に向かってやや外方向に広がるように側面部（３）を成形し基板（１）の上面には長方形状の開口部（２）を設ける。【００１４】  前記側面部（３）の下部に波状の係止部（４）を設ける。側面部（３）をやや外方向に広げるようにしたのは、クラブ（６）を置いたとき基板（１）にかかる重力を外方向に逃がし、基板（１）の転倒防止を図るためである。【００１５】  なお、側面部（３）の高さは，ラフ、セミラフの芝生の長さを考慮すると、約６ｃｍが適当であるが、これにこだわらない。要は芝生の長さに埋没しない高さであればよい。
また、基板（１）上面の横長は約１５ｃｍ程度が適当であるが、これも限定するものではない。同様に基板（１）の横幅は６ｃｍ程度であるが、これに限定されるものではない。【００１６】  基板（１）の上面の中央部は緩やかな湾曲部（５）を形成する。（図２）【００１７】  開口部（２）は図４に示すように、すべてのクラブ（６）のフェイス（８）が上部  から挿入することができる大きさに形成する。【００１８】  次に使用法について説明する。
第１打を打ち終わった後、ゴルフボールの落下点位置に複数のクラブ（６）を持って行き、基板（１）をフェアーウェイ、ラフ等に置いて、状況判断をした後、使用しないクラブ（６）を基板（１）の上面に置く（図３）。【００１９】  基板（１）の上面は緩やかな湾曲部（５）になっているので、クラブ（６）が基板の湾曲部（５）にずり落ちてくるので、基板（１）の両側からクラブ（６）が地面に落下しにくい。【００２０】  ゴルフボールの落下位置は平らな以外に斜面もある。斜面上の芝生に基板（１）が置かれた場合、側面部（３）の下部の係止部（４）が凸凹の波型状になっているので、凸凹の間に芝生の葉が挟まれて、基板（１）がズレにくい。【００２１】  さて、第２打目を打ち終わった後、その使用したクラブ（６）のフェイス（８）を、基板（１）と地面の隙間（９）に横から差し入れ、上に持ち上げて未使用クラブを拾い上げることができる。
また、同様に使用クラブ（６）のフェイス（８）を、基板（１）に設けた開口部（２）の上から差し込んで基板（１）を持ち上げれば、未使用のクラブ（６）と基板（１）とを腰を屈めることなく拾えるので、肉体疲労の軽減になる。【００２２】  なお説明上、第２打の状況について説明したが。グリーン周りでも複数のクラブ（６）を持って、使い分けするのが一般的である。したがって、本考案品が使用できることができる。
なお、第３打、第４打のショットの場合においても、基板（１）を使用できることは、当然である。【００２３】  また、この基板（１）を利用して練習グリーン上のカップに見立ててパター練習にもなります。【００２４】  図５、図６は両側面部（３）にゴルフメーカ名とか動物の印刷又は様々なキャラクター（１０）等を施すことによってゴルフのプレイが楽しくなり、特に女性層にも愛用される。
【符号の説明】
【００２５】  １：基板
２：開口部
３：側面部
４：係止部
５：湾曲部
６：アイアンクラブ
７：グリップ
８：フェイス
９：隙間
１０：キャラクター
【図１】
0003182304.tif 000003
【図２】
0003182304.tif 000004
【図３】
0003182304.tif 000005
【図４】
0003182304.tif 000006
【図５】
0003182304.tif 000007
【図６】
0003182304.tif 000008
(57)【要約】      （修正有）【課題】釣糸盤から釣り用リールへ糸を巻く場合、簡単で瞬時に巻くことが出来るように糸巻き機能の向上を図った釣糸巻き補助器具を提供する。【解決手段】磁石スタンド１に軸棒２を締め付け、バネ３、止め輪金具４、釣糸盤５、止め輪金具４、バネ３、ネジ付きノブ６の順番で軸棒２に装着することにより、軸棒２に軸架した釣糸盤５の位置が上と下の止め輪金具４に固定され、固定された釣糸盤５が自由に回転することができ、釣糸盤の糸５ａのみを引っぱり、釣りリールに巻いていく。且つ、ネジ付きノブ６で上のバネ３のテンションを調節することにより、釣糸盤５の回し強さを調整することが可能であり、釣糸盤５から釣り用リールへの糸巻き機能の向上に役立つ。【選択図】図１
0003182302.tif 000002
【実用新案登録請求の範囲】
【請求項１】
釣糸巻き補助器本体に磁石スタンドを設け、磁石スタンド穴に手動で軸棒を締付けるとともに、バネ、止め輪金具、釣糸盤、止め輪金具、バネ、ネジ付きノブの順番で軸棒に装着すると、釣糸盤の位置が上と下の止め輪金具に固定され、回転自在の空間を形成していて、上述により簡単に釣糸から釣り用リールへの糸巻き作業の使用が可能とする釣糸巻き補助器。
【考案の詳細な説明】
【技術分野】
【０００１】    本考案は、磁石スタンドに軸棒を締め付け、バネ、止め輪金具、釣糸盤、止め輪金具、バネ、ネジ付きノブの順番で軸棒に装着すると、釣糸盤の位置が上下の止め輪金具に固定され、回転自在の空間を形成している。その空間を利用し、釣糸盤から釣りリールへの糸巻き作業の補助に関するものである。
【背景技術】
【０００２】    釣糸盤から釣り用リールへ糸を巻く場合、釣糸盤がうまく固定されなかったり、巻いていくにつれて釣糸盤が動いて地面に落下したことがあり、順調に糸巻きができなかった。
【先行技術文献】
【特許文献】
【０００３】    出願人が調べた範囲では先行技術文献は見当たらなかった。
【考案の概要】
【考案が解決しようとする課題】
【０００４】  釣糸をいかにより安定且つ簡単で瞬時に釣り用リールに巻くことを考案した。今までは２人係で糸巻きをしていて、あるいは不安定な状態で糸巻きをしていたため、釣糸盤と補助器が落下することがある。磁石の付着力を発揮させ、自動車の板金等のような平坦な金属面に付着させて軸棒に釣糸盤を通し、止め輪金具とバネ等の部品を加えて一体化することにより前述の欠点を解決しようとするものである。
【課題を解決するための手段】
【０００５】  本考案は、磁石スタンドに手動で軸棒を締め付けるとともに、バネ、止め輪金具とネジ付きノブを装着することにより、釣糸盤の位置を固定する。又、釣糸盤は軸棒を軸架したままで回転することができるため、釣糸盤の糸だけを引っぱり、釣り用リールへの糸巻きの補助に使用することが可能とする。
以上の手段を利用することにより釣糸が簡単で瞬時に釣り用リールへ巻かれ、不安定や落下等の問題点を解決している。
【考案の効果】
【０００６】上述の様に、本考案の釣糸巻き補助器は釣糸巻き作業を補助することは勿論、磁石スタンドの付着力と安定した特徴で平坦な金属面なら水平も垂直も使用することが可能である。釣糸を安定した状態で簡単で瞬時に巻くことが出来る。これにより糸巻き機能の向上として役立つ。
【考案の実施するための最良の形態】
【０００７】磁石スタンドに軸棒を締め付け、バネ、止め輪金具、釣糸盤、止め輪金具、バネ、ネジ付きノブの順番で軸棒に装着したら釣糸巻き補助器の組立が完成。それを自動車の板金等平坦な金属面に磁石スタントを下にして設置する。釣糸盤の糸部分のみを引っぱり、釣り用リールに連結し、釣糸が完全にリールに巻かれたら糸巻きが完了。又、磁石スタンドは水平も垂直も平坦な金属面に付着することが可能である。
【実施例】
【０００８】以下、添付図面に従って一実施例を説明する。
本考案は磁石スタンド１に軸棒２を締め付け、バネ３、止め輪金具４、釣糸盤５、止め輪金具４、バネ３、ネジ付きノブ６の順番で軸棒２に装着することにより、軸棒２に軸架した釣糸盤５の位置が上と下の止め輪金具４に固定され、固定された釣糸盤５が自由に回転することができ、釣糸盤の糸５ａのみを引っぱり、釣りリールに巻いていく。且つ、ネジ付きノブ６で上のバネ３のテンションを調節することにより、釣糸盤５の回し加減を調整することが可能である。
【図面の簡単な説明】
【０００９】
【図１】本考案の釣糸巻き補助器の一実施例を示す正面図。
【図２】本器具の上から見る図。
【符号の説明】
【００１０】１    磁石スタンド
２    軸棒
３    バネ
４    止め輪金具
５    釣糸盤
５ａ  釣糸盤の糸
６    ネジ付きノブ
【図１】
0003182302.tif 000003
【図２】
0003182302.tif 000004
(57)【要約】      （修正有）【課題】冷蔵庫内に容器を複数段重ねて保存する際に使用する容器多段積載具を提供する。【解決手段】冷蔵庫用の多段積載器具は多角形の空間を有する外平板、前記外平板の前記空間に嵌合する多角形の内平板からなるものである。外平板と内平板は分離でき、分離すると二枚の平板になる。これらを容器の上に乗せて使用すると複数の容器を重ねることが可能である。【選択図】図２
0003182306.tif 000002
【実用新案登録請求の範囲】
【請求項１】
多角形の空間を有する外平板と、前記外平板の前記空間に嵌合する多角形の内平板からなる冷蔵庫用の容器多段積載具
【請求項２】
請求項１記載の内平板が多角形の空間を有し、前記内平板の前記空間に嵌合する多角形の内内平板を有する請求項１記載の冷蔵庫用の容器多段積載具
【請求項３】
多角形の空間を複数有する外平板と、前記複数の空間にそれぞれ嵌合する多角形の内平板からなる冷蔵庫用の容器多段積載具
【考案の詳細な説明】
【技術分野】
【０００１】  本考案は、冷蔵庫内に容器を複数段重ねて保存する際に使用する収納用品に関するものである。
【背景技術】
【０００２】  冷蔵庫に料理が盛り付けられた容器を収納する際、容器に食品用ラップフィルムをかけるなどして並べて収納される。そこで収納可能領域を増やすために冷蔵庫内には複数の棚板があるがそれにも限度があり、やはり無駄なスペースが発生する。故にそれ以上のスペースを要する場合はそれぞれ異なったやり方で行っていた。例を挙げると、皿等の容器の上に割箸等で土台を作った上に積み重ねていたが、それでも、冷蔵庫のスペースを有効活用するには不十分であった。【０００３】  これを改善するために、登録実用新案第３００９２１５号の容器の多段積載器具がある。しかし、この考案具は構造が傘状で複雑であるし、載置できる容器の大きさが限定されているし、収納する際に場所をとるという点で不便である。【０００４】  同じように、登録実用新案第３１４６９３１号があるが、これも前記登録実用新案第３００９２１５号と同じ不便な点がある。
【考案の概要】
【考案が解決しようとする課題】
【０００５】  従来の前記考案具は容器の大きさを限定しており、特定の容器にしか使用できない。また当該考案単体では、容器を二枚しか重ねることができない。これでは冷蔵庫内のスペースを確保するために二枚以上の容器を重ねる際、当該考案を複数用意する必要があるため、経済面に負担がかかる。
【課題を解決するための手段】
【０００６】  本考案は、上記目的を達成すべく考案したもので、第１の考案は多角形の空間を有する外平板と、前記外平板の前記空間に嵌合する多角形の内平板からなる冷蔵庫用の容器多段積載具である。【０００７】  第２の考案は、第１の考案において前記内平板が多角形の空間を有し、前記内平板の前記空間に嵌合する多角形の内内平板を有する冷蔵庫用の容器多段積載具である。【０００８】  第３の考案は、多角形の空間を複数有する外平板と、前記複数の空間にそれぞれ嵌合する多角形の内平板からなる冷蔵庫用の容器多段積載具である。
【考案の効果】
【０００９】  以前は、冷蔵庫に食品が盛り付けられた容器ごと収納する際、横並びにして収納するか、複雑な構造の積層具で容器を縦方向に収納していた。本考案は簡易な積載具で、容器を重ねる際の台として使用することで種々な形状やサイズの容器を横並びに収納するのではなく、縦方向に収納することを可能にする。そのため、冷蔵庫内のスペースを有効活用することができ、その分、他の容器や食品を収納することが可能になる上、容易に容器を取り出すことも可能である。【００１０】  本考案具はそのままの状態で、外平板と内平板を分離して、又は外平板と内平板と内内平板をそれぞれ分離して利用できるため効率的である。更に本考案を収納する際にも元は一枚のため広いスペースを要しない。【００１１】  本考案具は収納のみに使用するだけではなく、食品が盛り付けられた複数の容器を電子レンジで温めるなどの簡易な調理の際に使用するという用途もある。【００１２】  本考案具は電子レンジ等で加熱調理した後の皿等を乗せる皿敷きとしても使用可能である。
【図面の簡単な説明】
【００１３】
【図１】  本考案の積載具の全体を示した図である。
【図２】  本考案の積載具で容器を多段積載した使用例の図である。
【図３】  本考案の積載具で容器を積載する最良の形態図である。
【図４】  本考案の積載具を皿敷きとして使用する図である。
【考案を実施するための形態】
【００１４】  本考案の冷蔵庫用の容器多段積載具は容器の上に重ねてその上に容器を置くため、一定の重量に耐えうる強度で製作する事が必要である。
本考案具を容器の上に置くことで容器は水平に安定し、容器を図２のように三段、図３のように二段に重ねることが出来る。
本考案の素材は電子レンジで使用可能にするために耐熱性が高いアクリル製の品質のものが望ましい。
本考案は厚さが薄く、外平板に図１に示すような穴を空けることで、フックなどにかけて収納できる。そのため本考案を使用しないときの保管が容易で尚且つ場所を選ばない。
【実施例】
【００１５】  本考案は、アクリル等の、強度、耐熱性にも優れたものを材料とし、図１のように図形を型取ったものであり、図１の外平板１と内平板２は分離可能である。本考案は、図２のように、容器の上に外平板１を乗せ、その上に別の容器を乗せ、またその上に内平板２を乗せることで、食品を盛り付けた複数の容器を、内容物の形を崩すことなく積み重ねることが可能である。本考案は図示のような深みを有する容器に使用することが望ましいが、容器の淵よりも低くなるような状態で盛り付けられていれば、平たい容器にも使用できる。本考案は、図２のような状態で、そのまま冷蔵庫などに保存することが可能である。本考案を耐熱性の高い素材で構成した場合、図２のように容器を積み重ねた状態で、電子レンジ等を用いて加熱することが可能である。例えば、食品用ラップを用いることにより、冷凍食品などを盛り付けた複数の容器を同時に加熱調理できる。
外平板と内平板、内平板と内内平板の嵌合の程度は、嵌合した状態で内平板および内内平板が自然脱落しない強さの嵌合にすると、本考案を使用しないときに保管スペースが少なくて済み、かつ内平板および内内平板が散在しないため便利である。図１の様に穴を設け、フックなどに掛けて収納できる。【００１６】  本考案は図４のように皿敷きとしても使用可能である。本考案により重ねられた皿等を電子レンジ等で加熱調理した後や、冷蔵庫等に収納された状態でそのまま食卓へと提供可能である。
【符号の説明】
【００１７】１  外平板
２  内平板
３  内内平板
【図１】
0003182306.tif 000003
【図２】
0003182306.tif 000004
【図３】
0003182306.tif 000005
【図４】
0003182306.tif 000006
(57)【要約】      （修正有）【課題】オーリングに過大な荷重をかけることなく誰でも簡単にオーリングを設置することが可能、且つグリスも使用せずにダンパー内のオイル漏れを防ぐオーリング保持構造を提供する。【解決手段】オーリング設置部の深さ寸法より０．３ｍｍ〜０．４ｍｍ程度の高さを有し、且つオーリング設置部の幅の寸法で形成された樹脂、あるいは金属製のオーリング保持構造体４にオーリング５を設置することによって、オーリング５に一定の加重がかかり、且つオイル漏れ防止を防ぐと同時に簡易にダンパー組み立てが可能となった。【選択図】図２
0003182307.tif 000002
【実用新案登録請求の範囲】
【請求項１】
ラジコン車用のダンパーにおいて、ダンパーシャフトからのオイル漏れを防止するためのオーリングを設置する際のオーリング保持構造であり、樹脂、金属等の円筒形の中心にダンパーシャフトを通すための穴を形成し、高さはオーリング設置部の高さより０．３ｍｍ〜０．５ｍｍ高い寸法で、且つオイル漏れ防止用のオーリングを取り付けるための、オイル漏れ防止用のオーリングの径の１／２〜１／３程度のザグリ加工を施したことを特長とするオーリング保持構造体。
【請求項２】
請求工１の記載したオーリング保持構造体の周囲にオーリングを設置するためのオーリングの径の１／２〜１／３のザグリ加工を施したことを特長とするオーリング保持構造体。
【考案の詳細な説明】
【技術分野】
【０００１】  本考案はラジコン車用ダンパー用オーリング構造に関する。
【背景技術】
【０００２】  従来のラジコン車用のダンパー構造を図１に示す。図１の１に示す箇所にシャフトを通すオーリングが使用されており、走行時におけるタイヤの衝撃によるダンパー内に充填されたオイル圧力の増加に対するオイル漏れを防いでいる。しかしながら、図１に示す従来のオーリング保持方法ではオーリングを設置する図１の２の寸法によって、十分な封し効果を得ることができない場合が多く、図１の２の寸法がオーリングの厚み寸法より大きい場合はスペーサを入れること、あるいは高粘土のグリスをオーリング設置部に充填することによって、オーリングとシャフト、オーリングと設置部の封しを確実にする必要がある。
【考案の概要】
【考案が解決しようとする課題】
【０００３】  しかしながら上記背景技術によって記載した、スペーサを入れる方法ではオーリングを強く押さえつける可能性が高く、この場合シャフトの動きがオーリングとの摩擦の増加によって動きが固くなる可能性がある。さらにオーリング設置部に高粘土のグリスを充填する方法はダンパー内に充填したオイルと混ざる可能性があり、この場合オイルの粘土が時間と共に変化し、ダンパー特性が変化する可能性も高い。本考案はオーリングに過大な荷重をかけることなく誰でも簡単にオーリングを設置することが可能、且つグリスも使用せずにダンパー内のオイル漏れを防ぐオーリング保持構造を提供することにある。
【課題を解決するための手段】
【０００４】本考案は図２に示すようにオーリングが設置される箇所にオーリングを保持する樹脂製、または金属製の構造体の中にオーリングを設置し、オーリング設置部に上からネジ込む部材が前記構造体によってオーリングを必要以上に押し込み過大な荷重がオーリングにかかることを防止し一定の加重がかかるようになり、オーリングの中にあるシャフトとの摩擦を一定値に保つことによって、スムーズなシャフトの動きを確保すると同時にダンパー内のオイル漏れを防止することが可能となる。
【考案の効果】
【０００５】本考案の適用されたオーリング保持構造によって、従来のオーリングを設置する際に必要であったオーリングに加圧するためのスペーサの厚みを考慮する手間を省くと同時にオーリングをシャフトに通す際にシャフトのタップ部分によるオーリングの破損も無く、さらにオーリングにかかる加重を一定の値に保つことが可能になり、且つ簡易にオーリングを設置することが可能になる。このことによって、ラジコン車の走行時に発生するダンパー内の圧力増加によるダンパーオイル漏れを防止することが可能となり、長期間の走行に対してダンパーのメンテナンス頻度の低減効果が期待できる。
【図面の簡単な説明】
【０００６】
【図１】従来方法によるオーリング設置図である。
【図２】この考案のオーリング保持構造設置側面図である。
【図３】従来方法によるオーリング設置図とこの考案によるオーリング保持構造体の設置図である。
【図３−１】この考案のオーリング保持構造体の上面図と側面図である。
【考案を実施するための形態】
【０００７】本考案の一実施形態を図３に示す。図３は従来のオーリングの設置と本考案のオーリング保持構造の比較図である。本考案ではオイル漏れ防止用のオーリングを図３の５の箇所に設置しているが、反対側に設置し、且つオーリング保持構造の周囲からのオイル漏れを防止するためのオーリングを６に設置することでも同様の効果を期待できる。
【０００８】「実施形態の効果」
本実施形態によって、ダンパーを組み立てる際にオーリングに加圧するためのスペーサの厚みを考慮することなく、容易にダンパーを組み立て、且つオイル漏れを防止することが可能となる。
【符号の説明】
【０００９】１    オーリング
２    オーリング設置深さ
３    スペーサ
４    オーリング保持構造体
５    オーリング
６    オーリング
【図１】
0003182307.tif 000003
【図２】
0003182307.tif 000004
【図３】
0003182307.tif 000005
【図３−１】
0003182307.tif 000006
(57)【要約】      （修正有）【課題】平板の表面に前と後の固定部を接着させその間で立板の脱着を自在とすることで移動が可能となり一定の場所以外でも空手の突きが鍛えられる空手の突きを鍛える立板を提供する。【解決手段】平板の裏全面Ｅに滑り止めを施し表面Ａに立板Ｄを土中に設置したと同じように立板を突いた衝撃を吸収させる機能を前の固定部Ｂと後の固定部Ｃに負わせられるように接着させた。前と後の固定部の間隔は突く部分を藁縄や布等で覆った立板の厚みに合せて取りその間で立板の脱着を自在とするものであり、これにより平板ごと移動が可能となり体育館や室内等で空手の突きを鍛えるのに役立つ。【選択図】図１
0003182308.tif 000002
【実用新案登録請求の範囲】
【請求項１】
平板の裏全面に滑り止めを施し表面に前と後の固定部を立板の厚みに合せて間隔を取り接着させ、その間で立板の脱着を自在とし平板ごと移動が可能としたところを特徴とする移動ができる空手の突きを鍛える立板。
【考案の詳細な説明】
【技術分野】
【０００１】  この考案は、空手の突きを鍛えるのに突く部分に藁縄や布等で覆った立板に関するものである。
【背景技術】
【０００２】  従来空手の突きを鍛えるのに藁縄や布等で覆った立板を突いた時の衝撃を吸収させるのに土中に設置し、その一定の場所から移動出来ない立板で突きを鍛えていた。
【考案の開示】
【考案が解決しようとする課題】
【０００３】  立板を突いた時の衝撃を吸収させるのに土中に設置していた、それだと一定の場所から移動させることが出来なく、体育館や室内等で突きを鍛えられないので平板の表面に前の固定部と後の固定部を接着させ土中の設置と同じ機能をこの前と後の固定部に負わせる。この前と後の固定部の間で立板を脱着自在とし、平板ごと移動が可能となり前述の欠点を解決するものである。
【課題を解決するための手段】
【０００４】  本考案は立板を突いた時の衝撃を吸収させるのに平板の裏全面に滑り止めを施し、表面に立板の脱着が自在となるよう立板の厚みに合せ前の固定部と後の固定部を接着し、立板を土中に設置したと同じ機能を平板表面の前と後の固定部に負わせ、その間で脱着が自在となり問題点を解決している。
【考案の効果】
【０００５】  上述の様に土中に設置したと同じ機能を平板に接着した前と後の固定部に負わせ脱着を自在としたので、土中に設置する必要がなく体育館や室内等に平板ごと移動させて空手の突きを鍛えるのに役立つ。
【考案を実施するための最良の形態】
【０００６】  平板の裏全面に滑り止めを施し表面に前の固定部と後の固定部を立板の厚みに合せて間隔を取り接着させ、その前と後の固定部の間で脱着する。立板の突く部分に藁縄や布等で覆い前と後の固定部には、ゴムバンド等と外れ防止具を設けその間から外れないようにした。立板を土中に設置したと同じ機能を平板の表面に接着させた前と後の固定部に負わせ、その間で脱着を自在にしていることで平板ごと移動が可能となる。
【実施例】
【０００７】  以下添付図面に従って実施例を説明する。
それぞれの素材は適宜なものとしＡは空手で云われる前屈立ちとなり突く姿勢になった時左右の両足が表面に乗る広さの平板の裏全面Ｅに滑り止めを施し、Ｂ、Ｃは接着した表面の前の固定部と後の固定部でその間隔を突く部分Ｈに藁縄や布等で覆った立板Ｄの厚みに合せて取り、その間から外れないようにゴムバンド等Ｆと外れ防止具Ｇを設け立板の脱着が自在となることにより平板ごと移動が可能となる。
【図面の簡単な説明】
【０００８】
【図１】  立体図
【図２】  側面図
【符号の説明】
【０００９】  Ａ  平板の表面
Ｂ  前の固定部
Ｃ  後の固定部
Ｄ  立板
Ｅ  平板の裏面
Ｆ  ゴムバンド等
Ｇ  外れ防止具
Ｈ  突く部分
Ｉ  突く方向
【図１】
0003182308.tif 000003
【図２】
0003182308.tif 000004